(57)【要約】【課題】熱交換器の取付を簡単にすると共にコンパクト化を行う。【解決手段】本体ベース２と前面パネル３から成る筐体内に熱交換器４と送風ファン５を備え、前記前面パネル３の前面又は上面に吸込口７・９・１０を前面下部又は底面に吹出口８を設け、前記送風ファン５の作動により吸込口から吸い込んだ空気を熱交換器、送風ファン、吹出口の順に送風し、吹出口から吹き出す送風経路を備えた空気調和機に於いて、前記熱交換器は前側熱交換器１２と後側熱交換器１３を逆Ｖ字形に配置すると共に、熱交換器の一端に備えたエンドプレートは取付板１５にネジ止めされたのち前記本体ベース２に固定され、熱交換器の他端に備えたエンドプレート１２ａ・１３ａは取付板１７に摺動自在に係合したのち本体ベース２に固定するようにする。【選択図】図２
2006071112.tif 000002
【特許請求の範囲】
【請求項１】
本体ベースと前面パネルから成る筐体内に熱交換器と送風ファンを備え、前記前面パネルの前面又は上面に吸込口を前面下部又は底面に吹出口を設け、前記送風ファンの作動により吸込口から吸い込んだ空気を熱交換器、送風ファン、吹出口の順に送風し、吹出口から吹き出す送風経路を備えた空気調和機に於いて、前記熱交換器は前側熱交換器と後側熱交換器を逆Ｖ字形に配置すると共に、熱交換器の一端に備えたエンドプレートは取付板にネジ止めされたのち前記本体ベースに固定され、熱交換器の他端に備えたエンドプレートは取付板に摺動自在に係合したのち本体ベースに固定する事を特徴とする空気調和機。
【発明の詳細な説明】
【技術分野】
【０００１】
この発明は室内ユニットと室外ユニットを冷媒配管で接続して使用する、家庭用の空気調和機の室内ユニットに関するものである。
【背景技術】
【０００２】
従来の空気調和機では、左右のエンドプレートの間に多数のアルミニウム薄板に銅パイプを貫通した後、銅パイプの拡管と銅パイプ端部の溶接を行い形成するフィンチューブ式の熱交換器を使用し、この熱交換器の取付は熱交換器左右端に備えた板金製のエンドプレートをネジ止めにて左右の取付板に固定し、この取付板を本体ベースにネジ止め固定していた。
また熱交換器製造時に発生する左右寸法のバラツキを吸収するためにエンドプレートまたは取付板に設けられた取付穴を長穴にする事で前記のバラツキに関係なくしっかりと本体ベースに取り付けられていた。
また近年この種の空気調和機には省エネルギーのための規制が適用されることで、性能向上の必要上、熱交換器が大型化し、この大型化を吸収するために各部品のコンパクト化が必要なものであった。（例えば、特許文献１参照）
【特許文献１】特開平１０−２６４００号公報
【発明の開示】
【発明が解決しようとする課題】
【０００３】
しかしながら、この従来の空気調和機では、長穴にネジ止めをする固定方式は、長穴の長さ分左右に無駄なスペースが発生するものであり、よりコンパクト化が必要なものであった。
また熱交換器の大型化により製造原価が上昇するので、コストダウンが必要なものであった。
【課題を解決するための手段】
【０００４】
この発明はこの点に着目し上記欠点を解決する為、  本体ベースと前面パネルから成る筐体内に熱交換器と送風ファンを備え、前記前面パネルの前面又は上面に吸込口を前面下部又は底面に吹出口を設け、前記送風ファンの作動により吸込口から吸い込んだ空気を熱交換器、送風ファン、吹出口の順に送風し、吹出口から吹き出す送風経路を備えた空気調和機に於いて、前記熱交換器は前側熱交換器と後側熱交換器を逆Ｖ字形に配置すると共に、熱交換器の一端に備えたエンドプレートは取付板にネジ止めされたのち前記本体ベースに固定され、熱交換器の他端に備えたエンドプレートは取付板に摺動自在に係合したのち本体ベースに固定するものである。
【発明の効果】
【０００５】
この発明によれば、熱交換器の左側の固定方法は、左エンドプレートに左取付板を係合させるだけなので極めて組立を簡単にする事ができる。
また左取付板を左エンドプレートに組付けるネジとネジ止め作業に必要な手間が削減できるものである。
【実施例１】
【０００６】
次に、この発明に係る空気調和機を図面に示された一実施例で説明する。１はセパレート式空気調和機の室内ユニットで、本体ベース２と前方の前面パネル３によって筐体を形成し、この筐体内には熱交換器４と送風ファン５等を備えている。
前記前面パネル３の更に前面は着脱自在のオープンパネル６によって覆われている。
【０００７】
また前面パネル３は上面に上吸込口７を、底面に吹出口８を備え、前記オープンパネル６の前面上部に前吸込口９を前面のやや下方に補助吸込口１０を設けている。
前記吸込口７・９・１０の内側には網目状のフィルタ１１を備え、吸込空気に含まれる埃を取り除くものである。
【０００８】
前記熱交換器４は前吸込口９と補助吸込口１０に対向する前側熱交換器１２と、上吸込口７から本体ベース２に向かって傾斜して配置された後側熱交換器１３と、前記前側熱交換器１２とフィルタ１１の間のほぼ中央に配置された補助熱交換器１４とから成るものである。
【０００９】
前記前側熱交換器１２は左エンドプレート１２ａと右エンドプレート１２ｂの間に多数のアルミニウム薄板１２ｃに銅パイプ１２ｄを貫通した後、この銅パイプの拡管と銅パイプ端部の溶接を行い形成するフィンチューブ式の熱交換器を使用するものであり、冷房運転時には蒸発器として低温になり、暖房運転時には凝縮器として高温となるものである。
【００１０】
前記後側熱交換器１３も左エンドプレート１３ａと右エンドプレート１３ｂの間に多数のアルミニウム薄板１３ｃに銅パイプ１３ｄを貫通した後、この銅パイプの拡管と銅パイプ端部の溶接を行い形成するフィンチューブ式の熱交換器を使用するものである。
また前側熱交換器１２と後側熱交換器１３の接する左右の上部は、右エンドプレート１２ｂ・１３ｂより突出する上舌部１２ｅ・１３ｅどうしと、左エンドプレートより突出する上舌部１２ｅ・１３ｅどうしを約５５度の角度で逆Ｖ字形にネジ止め固定されるものである。
【００１１】
また前記前側熱交換器１２の後側下方で右エンドプレート１２ｂに設けた下舌部１２ｆと後側熱交換器１３の前側下方に設けた下舌部１３ｆに設けた取付穴１４に右側方向より樹脂製の右取付板１５をネジ止めし、前側熱交換器１２の左エンドプレート１２ａ・１３ａの内側はＬ字形に折り曲げられると共に、折り曲げ高さが異なる凹部となる係合部１６を形成し、この係合部１６に対向する左取付板１７には左右方向に摺動自在に係合する溝部１８を設けている。
【００１２】
前記右取付板１５は右エンドプレート１２ｂ・１３ｂを固定後に、送風モータ（図示せず）を本体ベース２にネジ止め固定するものであり、左取付板１７は左エンドプレート１２ａ・１３ａを左右方向に摺動自在に係合すると共に、軸受け１９を本体ベース２にネジ止め固定するものである。
【００１３】
このように横方向の寸法のバラツキの大きな熱交換器４の右側面は強固に固定し、左側面は摺動自在に係合するので、従来に比べて極めてコンパクトに組み付けができるものであり、組立時のネジも少なくコストを下げることができるものである。
前記送風ファン５はクロスフローファンで、それぞれの熱交換器１２・１３の内側に設けられている。
【００１４】
前記本体ベース２の後側熱交換器１３下方には結露水を集めて排水する背面ドレンパン２０と、この背面ドレンパン２０と送風ファン５の送風をスムーズに吹出口８へ導くケーシング２１等を一体に設けている。
【００１５】
２２は前記前側熱交換器１２の下方に備えた前部ドレンパンで、底面は前記ケーシング２１に対向して送風ファン５のエアーガイダー２３を一体に設け、ケーシング２１との間に送風経路２４を形成している。
２５は上下風向板で上下の送風方向を調節し、運転停止時には自動的にルーバモータ（図示せず）にて吹出口８を閉じるものである。２６は左右風向板で左右の送風方向を調整するものである。
【００１６】
熱交換器の組み付け作業の手順について説明すれば、まず前側熱交換器１２と後側熱交換器１３を結合するが、手順としては右エンドプレートの上舌部１２ｅ・１３ｅどうしと、左エンドプレートより突出する上舌部１２ｅ・１３ｅどうしを約５５度の角度で逆Ｖ字形にネジ止め固定する。
次に前側熱交換器１２の右エンドプレート１２ｂに設けた下舌部１２ｆと後側熱交換器１３の下舌部１３ｆに設けた取付穴１４に右側方向より右取付板１５をネジ止めし、前側熱交換器１２の左エンドプレート１２ａ・１３ａの内側の凹部となる係合部１６を左取付板１７の溝部１８に左右方向に摺動自在に係合する。
【００１７】
次に右取付板１５を送風モータと一緒に本体ベース２にネジ止め固定し、左取付板１７も軸受け１９と一緒に本体ベース２にネジ止めするものであり、左取付板１７は左エンドプレート１２ａ・１３ａを左右方向に摺動自在に係合できるものである。
【００１８】
このように横方向の寸法のバラツキの大きな熱交換器４の右側面は強固に固定し、左側面は摺動自在に係合するので、従来に比べて極めて簡単にかつコンパクトに組み付けができるものであり、組立時のネジも少なくコストを下げることができるものである。
また左取付板１７を左エンドプレート１２ａ・１３ａに組付けるネジとネジ止め作業に必要な手間が削減できるものである。
【図面の簡単な説明】
【００１９】
【図１】この発明一実施例の側面の断面図。
【図２】同要部の展開斜視図。
【図３】同熱交換器を組み付けた状態の左側部分斜視図。
【図４】同要部の部分展開斜視図。
【図５】同要部の右側面図。
【図６】同要部の拡大断面図。
【符号の説明】
【００２０】
１２    前側熱交換器
１３    後側熱交換器
１２ａ・１３ａ    左エンドプレート
１２ｂ・１３ｂ    右エンドプレート
１５    右取付板
１６    係合部
１７    左取付板
１８    溝部
【図１】
2006071112.tif 000003
【図２】
2006071112.tif 000004
【図３】
2006071112.tif 000005
【図４】
2006071112.tif 000006
【図５】
2006071112.tif 000007
【図６】
2006071112.tif 000008